(57)【要約】      （修正有）【課題】自動排紙タイプのディスペンサーにおける切れ残り、排出口でのシート詰まりを防止又は抑制する。【解決手段】ロールペーパー２から繰り出され下方に垂れ下がったペーパー２０Ａに対向して、カッター刃６０が、その刃先を奥側に向かわせてディスペンサー１００の前部に設けられ、カッター刃６０の刃先より下方の高さ方向範囲に渡って、下方が前側に延び、かつ、ペーパー２０Ａを前方に導く、ガイド８０がディスペンサー１００に設けられている。【選択図】図４
2015192745.tif 000002
【特許請求の範囲】
【請求項１】
給紙信号を受けて、ロールペーパーから所定長さのペーパーを自動的に排紙するロールペーパー用ディスペンサーであって、
排紙用繰り出しローラ及びこれに対向するニップローラが設けられ、これらの間を通り、ロールペーパーより繰り出されたペーパーが下方に垂れ下がりながら排紙される構造であり、
垂れ下がりペーパーに対向して、カッター刃が、その刃先を奥側に向かわせて前記ディスペンサーの前部に設けられ、
少なくとも前記刃先より下方の高さ方向範囲に渡って、下方が前側に延び、かつ、前記ペーパーを前方に導く、ガイドが前記ディスペンサーに設けられている、
ことを特徴とするロールペーパー用ディスペンサー。
【請求項２】
ロールペーパーから繰り出され、前記ガイドに沿って前記ペーパーが導かれ、繰り出しが終了している状態で、前記ペーパーが前記刃先に実質的に接触しているように、前記ガイドが構成されている請求項１記載のロールペーパー用ディスペンサー。
【請求項３】
前記ガイドの先端縁は、前記刃先より前方位置にある請求項１または２記載のロールペーパー用ディスペンサー。
【請求項４】
前記ガイドの排出面は、前記刃先より下方の高さ範囲が、一様の曲線を描く形状である請求項１〜３のいずれか１項に記載のロールペーパー用ディスペンサー。
【発明の詳細な説明】
【技術分野】
【０００１】
本発明は、帯状のペーパータオル等の用紙をロール状に巻取ったロールペーパー用のディスペンサーに関し、特に、所定長さのロールペーパーを自動的に巻き出して排紙するロールペーパー用ディスペンサーに関する。
【背景技術】
【０００２】
ロールペーパー用ディスペンサーは、たとえば、筐体内部に回動自在に支持したロールペーパーからペーパーを繰り出し、排紙口から適宜必要な長さのロールペーパーを露出させて裁断可能にするものである（特許文献１）。
【０００３】
この種のロールペーパー用ディスペンサーには、センサーによって使用者の手等が検知範囲に位置されたことを検知し、筐体内部に回動自在に支持したロールペーパーからペーパーを繰り出し、下部のスリット状の排紙口から自動的に適宜長のペーパーを排紙して裁断可能にする自動排紙タイプのものがある。
【０００４】
この自動排紙タイプのロールペーパー用ディスペンサーは、オートディスペンサー、ハンズフリーディスペンサーなどとも称される。
【先行技術文献】
【特許文献】
【０００５】
【特許文献１】特開２０１２−１３９４５５号公報
【特許文献２】特開２０１３−２２３５９８号公報
【発明の概要】
【発明が解決しようとする課題】
【０００６】
しかるに、特許文献２のように、従来では、ペーパーは下部の排紙口を通してそのまま下方に垂れ下がる形態としていることが関係していると推察されるが、従来のロールペーパー用ディスペンサーからのシートの切り取りは、使用者それぞれのため、切り取り方によっては、切れ残りが出る、排出口にシートが詰まるという問題があった。
【０００７】
そこで、本発明の主たる課題は、切れ残り、排出口でのシート詰まりを防止又は抑制できる、自動排紙タイプのロールペーパー用ディスペンサーを提供することにある。
【課題を解決するための手段】
【０００８】
上記課題を解決した本発明は次記のとおりである。
【０００９】
〔請求項１記載の発明〕
給紙信号を受けて、ロールペーパーから所定長さのペーパーを自動的に排紙するロールペーパー用ディスペンサーであって、
排紙用繰り出しローラ及びこれに対向するニップローラが設けられ、これらの間を通り、ロールペーパーより繰り出されたペーパーが下方に垂れ下がりながら排紙される構造であり、
垂れ下がりペーパーに対向して、カッター刃が、その刃先を奥側に向かわせて前記ディスペンサーの前部に設けられ、
少なくとも前記刃先より下方の高さ方向範囲に渡って、下方が前側に延び、かつ、前記ペーパーを前方に導く、ガイドが前記ディスペンサーに設けられている、
ことを特徴とするロールペーパー用ディスペンサー。
【００１０】
（作用効果）
本発明では、少なくとも刃先より下方の高さ方向範囲に渡って、下方が前側に延び、かつ、ペーパーを前方に導く、ガイドが前記ディスペンサーに設けられている。その結果、ペーパーは前方に延びるガイドに沿ってガイドされる結果、ペーパーの先端は、ガイドの先端縁又はさらに進む長さまで自動排紙されるので、使用者は、ペーパー先端部を把持して、下方または下方斜め手前に引くのではなく、前方に引くようになる。
実験の結果からも、ペーパーを前方に引く使用者が多いことが判明し、現実に、そのような使用者が多いために、ペーパーの切れ残りを防止又は抑制できることが分かった。
【００１１】
〔請求項２記載の発明〕
ロールペーパーから繰り出され、前記ガイドに沿って前記ペーパーが導かれ、繰り出しが終了している状態で、前記ペーパーが前記刃先に実質的に接触しているように、前記ガイドが構成されている請求項１記載のロールペーパー用ディスペンサー。
【００１２】
（作用効果）
繰り出しが終了している状態で、ペーパーが刃先に実質的に接触しているように、ガイドが構成されている、すなわち、ガイドの形状や寸法、取り付け位置などが設定されていると、切断のために、ペーパーを前方に引くとき、ペーパーの幅方向全体が常に刃先と実質的に接触しているので、ペーパーの切れ残りを防止又は抑制できる。
従来例のように、ペーパーが刃先と離間して垂れ下がり状態にあると、使用者は、一旦、ペーパーの先端が刃先に当たるように引き寄せ、その後に強く手前に引く動作を行わない限り、引き裂き難いものであり、そのために、切れ残りが生じ易いものと、本発明に到達する過程で本発明者は知見した。
一方で、繰り出しが終了している状態で、ペーパーが刃先に実質的に接触していることは、ペーパーが奥側へのふらつきがないことを意味するから、従来のように排紙口にペーパーが詰まることを防止または抑制できるのである。また、切り裂きに過度の力を要することなく、簡単に切り裂きが可能である。
【００１３】
〔請求項３記載の発明〕
前記ガイドの先端縁は、前記刃先より前方位置にある請求項１または２記載のロールペーパー用ディスペンサー。
【００１４】
（作用効果）
これによって、ペーパー繰り出し部位と刃先とガイドの先端縁とが常に鈍角をもって、ペーパーが刃先に接触するので、請求項１又は請求項２の作用効果をより一層、顕在化するようになる。
【００１５】
〔請求項４記載の発明〕
前記ガイドの排出面は、前記刃先より下方の高さ範囲が、一様の曲線を描く形状である請求項１〜３のいずれか１項に記載のロールペーパー用ディスペンサー。
【００１６】
（作用効果）
ガイドの排出面が一様の曲線を描く形状であると、ペーパーの自動排紙が円滑である。
【発明の効果】
【００１７】
本発明によれば、誤切れ残り、排出口でのシート詰まりを防止又は抑制できる。
【図面の簡単な説明】
【００１８】
【図１】本発明に係るロールペーパー用ディスペンサーの底面側からの斜視図である。
【図２】本発明に係るロールペーパー用ディスペンサーの上面側からの斜視図である。
【図３】従来例に係るロールペーパー用ディスペンサーの内部構造例を模式的に示す内部構造側面図である。
【図４】本発明に係るロールペーパー用ディスペンサーの内部構造例を模式的に示す内部構造側面図である。
【図５】本発明に係るロールペーパー用ディスペンサーにおけるロールペーパーの取り付け態様例を示すための斜視図である。
【図６】本発明に係る排紙機構例を示す内部正面図である。
【図７】本発明に係る光学式センサーの検知範囲例を説明するための側面図である。
【図８】本発明に係るロールペーパー用ディスペンサーの内部構造例を模式的に示す内部構造の拡大側面図である。
【図９】さらに拡大した側面図である。
【図１０】ガイドの形状を異にする本発明に係るロールペーパー用ディスペンサーの内部構造例を模式的に示す内部構造の拡大側面図である。
【発明を実施するための形態】
【００１９】
次いで、本発明の実施の形態を図１、図２、図４〜７に示し、以下これを参照しながら詳述する。
【００２０】
本発明に係るロールペーパー用ディスペンサー１００（以下、単にディスペンサー１００ともいう）は、長尺帯状のロールペーパーを紙管に巻き付けてロール状としたロールペーパー用のものである。ロールペーパー自体は特に限定されず、既知の手拭き用などのものが用いられる。
【００２１】
本形態のディスペンサー１００は、その素材が例えばＡＢＳ樹脂等の合成樹脂や金属素材等で形成された筐体１の内部に、ロールペーパー２のロール部分２０を回動自在に支持する支持部３０と、そのロール部分２０から繰り出されたロールペーパー２０Ａをニップする回動自在な排紙用繰り出しローラ４及びこれに対向するニップローラ５と、前記排紙用繰り出しローラ４を駆動させるモーターなどの駆動源（図示されない）と、この駆動源と光学式センサー５０を動作させるための電力源となる電池７，７とが配置されている。
【００２２】
前記光学式センサー５０による被検知物（例えば、使用者の手）の検知に応じて前記電池７から駆動源に電力が供給されて作動し、前記排紙用繰り出しローラ４が回転させられて、前記筐体１の下部に配置された排紙口６から、適宜長さの繰り出されたロールペーパー２０Ａが筐体１外に自動的に露出した状態で排紙される。
【００２３】
筐体１は、正面開放のケース本体１０と、ケース本体１０の正面開放部分を被覆する蓋体１１とで構成されており、その下部に前記支持部３０に支持されたロールペーパー２から繰り出されたロールペーパー２０Ａを筐体外部に露出させるスリット状の排紙口６が設けられている。
【００２４】
ケース本体１０は、天板部１２と底板部１３と背板部１４とこの背板部１４の両側縁若しくは両側縁部から手前に延在する左右一対の本体側板部１５，１５とで構成されており、本形態のディスペンサー１００は、前記ケース本体の背板部１４を壁面等に対面させて設置する。
【００２５】
蓋体１１は、上部がケース本体１０の天板部１２と一連となるような湾曲面部分を有する、ディスペンサーの正面を構成する前板部１６と、この前板部１６と直角をなして奥側（背板側）に延在する左右一対の蓋体側板部１７，１７とを有し、ケース本体１０の正面側開放部分を被覆すように配置され、前記ケース本体１０とともに箱型の筺体１を構成する。
【００２６】
また、前記蓋体１１は、ケース本体１０に対して軸１０Ａを介してハッチ式に取付けられており、本形態のディスペンサー１００では、図２の一点鎖線で示すように蓋体１１を手前に引き下げることにより、ケース本体１０が前面開放状態となり、筺体内部の支持部３０や排紙用繰り出しローラ４等の内部機構が露出され、ロールペーパー２の交換が可能となっている。なお、図示の形態では、ハッチ式にするにあたって、ケース本体１０と蓋体１１とを各側板部１５，１７の下部に設けた回転軸を介して連結し、ケース本体１０の上面に形成した係止凸部１８と蓋体１１の上面に形成した係止凹部１９との係止によってケース本体１０の前面開放部が蓋体１１によって閉じられるようにしている。
【００２７】
なお、筐体の構造、外観は上記形態に限定されるものではない。
【００２８】
他方、前記排紙口６は筐体１の下面部において筐体の幅方向に延在するようにスリット状に設けられており、図示例では、特に、ケース本体１０の底板部１３の前面側縁部と蓋体１１の下端縁部との間が排紙口６となっている。なお、排紙口６は、上記形態に限定されず、例えば、ケース本体１０の底板部１３や蓋体１１に底板部を設けてそこに形成してもよい。
【００２９】
他方、本形態のディスペンサー１００は、ロールペーパー２から繰り出されたロールペーパー２０Ａが排紙口６から露出され、切り取りを容易にすべく、排紙口６の前面側縁に沿ってカッター刃６０が取付けられている。図示例ではカッター刃６０は鋸刃とされているが、これに限らない。なお、このカッター刃６０は、金属あるいは硬質樹脂などにより形成することができる。
【００３０】
筐体１内に収納されるロールペーパー２のロール部分２０の支持部３０は、既知の構成を採ることができる。図示の形態では、前記背板部１４の両側板近傍からそれぞれ前板側（壁面取付け時における手前側）に向かって所定長さ延出する一対の腕部３１，３１を有し、その腕部３１，３１の先端に支持体３２，３２が取付けられたものである。なお、図示例に限らず腕部３１，３１は、本体側板部１５から水平方向に突出するように延出している態様であってもよいし、天板部１２から垂下するような態様であってもよいし、底板部１３から天板部１２に向かって起立するものであってもよい。
【００３１】
また、図示例の支持部は、前記支持体３２，３２が通常状態において筐体内側部において水平方向内側に向かって突出しており、その少なくとも一方が前記通常状態に付勢された状態で、その基端部を軸として図５中一点鎖線Ａで示すように上方へ向かって跳ね上がるように構成されている。さらに、一対の支持体３２，３２の先端３２ｔ，３２ｔ間が、通常状態でロールペーパー２のロール部分２０の紙管の長さ（幅）未満の距離とされ、その先端３２ｔ，３２ｔ部分が上方に跳ね上がった際に支持体の先端３２ｔ，３２ｔ間がロールペーパー２の幅よりも広くその間隔が開くようになっている。ロールペーパー２の取付け時には、前記支持体３２を跳ね上げた状態にして支持体３２，３２間にロールペーパー２を挿入し、その後に支持体３２を通常状態位置へ付勢によって戻し、支持体先端３２ｔ，３２ｔを紙管内に位置させてロールペーパー２のロール部分２０を支持体３２，３２に支持する。
【００３２】
他方、本形態のディスペンサー１００は、前記ロールペーパー２のロール部２０を支持部３０に取付けたときの軸心と平行となるように配置された棒状の回転軸４０と、この回転軸４０の外周に表面がゴム等の滑り止め素材で構成された複数のロール４１，４１…を間欠的に配した構造の排紙用繰り出しローラ４及び、これと対となるニップローラ５が前記支持体３２の下方（底板側）の排紙口近傍に設けられており、前記排紙用繰り出しローラ４とニップローラ５とによって前記ロール部分２０から繰り出されたロールペーパー２０Ａを挟持し、前記排紙用繰り出しローラ４の回転によってロールペーパー２が排紙口６から排紙されるようになっている。
【００３３】
本実施形態のディスペンサー１００では、排紙用繰り出しローラ４を回転軸４０に対して同軸に複数のロール４１，４１…を幅方向に間欠的に設けた構造とすることで、排紙用繰り出しローラ４全体としての重量軽減を図り、省電力化を図っている。また、幅方向に間欠的にロール４１，４１…を設けることにより、ロールと紙の当たる圧力が高まり、滑りを生じることなく所定量のシート長さが好適に得られるようにもなる。
【００３４】
特に、そのロール４１，４１…を幅方向の中央部に密に、側部に疎に間隔を置いて配置することで、排紙時に側部におけるニップ圧が弱まり、側部に張力が逃げ易くなるため、排紙時に皺が入り難く好ましい。なお、排紙用繰り出しローラ４の構成やロール４１の数はこれに限定されない。
【００３５】
また、本形態のディスペンサー１００は、排紙用繰り出しローラ４が前記ケース本体１０に対して取り付けられ、ニップローラ５が蓋体１１に対して取り付けられており、前記蓋体１１を開いた際に、排紙用繰り出しローラ４とニップローラ５が離間して、ロールペーパー２の挟持が開放されるようになっており、メンテナンス性を向上させている。
【００３６】
他方、本形態においては、前記排紙用繰り出しローラ４は、回転軸４０の一端側（図示例では向かって右手側）に設けられた駆動ギア４２を介して、図示しない駆動源からの駆動力が伝達され回転させられるようになっている。駆動源は、既知のモーター等であり、駆動及び停止は、光学式センサー５０による検知信号に応じた電力の供給停止及び開始により行なわれる。
【００３７】
但し、排紙用繰り出しローラ４を駆動させるための構造は、上記駆動ギア４２を介する構成に限らず、ギア、無端ベルト、プーリーなどの既知に機構を適宜介在させて前記回転軸４０を回転させるようにしてもよい。また、回転軸４０を直接的にモーターの回転軸に同軸に連結して回転させるようにしてもよい。
【００３８】
なお、排紙機構は上記説明の形態に限定されず、例えば、ロール部分に面接する送りローラやロール部分を支持する支持部を駆動源により回転させるようにしてもよい。
【００３９】
他方、本実施形態に係る光学式センサー５０は、検知範囲に被検知物が位置されたことを検知する既知の光学式の人感センサー、モーションセンサーである。
【００４０】
この光学式センサー５０は、その検知光として可視光、不可視光を採用するものであってもよいし、さらにセンサーとは別途に光源からの照射光を必要とするアクティブタイプのものであってもよいし、照射光を必要としないパッシブタイプのものであってもよい。
【００４１】
但し、省電力化の点で有利であることから光源を必要としないパッシブタイプが望ましい。アクティブタイプのものは発光させる必要があることから、必然的にセンサー本体が大きくなる傾向にあるとともに消費電力が増加する。
【００４２】
光学式センサー５０のより具体的かつ好ましい例は、焦電型センサー、特には焦電型赤外センサーである。焦電型赤外センサーは、検知範囲に発熱体が位置された際に、その発熱体から発せられる赤外光を受光し、定常状態とのエネルギー差を検知するものであり、本実施形態に係るディスペンサー１００における一般的使用態様、すなわち使用者が発熱体である手等を検知範囲にかざして排紙させる態様に特に適する。なお、図示の本形態は、好ましくこの焦電型赤外センサーを用いた例である。
【００４３】
他方、本実施形態のディスペンサーでは、前記光学式センサー５０は、その受光部５１が前板部１６に露出して視認可能に取り付けられており、使用者が排紙機構を動作させるために手をかざすべき光学式センサー５０の位置が直感的に確認できるようになっている。露出部分の大きさは特に限定されないが縦６〜１０ｍｍ、横１２〜１５ｍｍ程度であると、直感的に光学センサー５０の位置を視認し易い。
【００４４】
この光学式センサー５０のより好ましい限定された位置は、利き手や設置箇所の影響が少ないという点で、ディスペンサー１００正面の幅方向中央から左右に５ｃｍ程度の範囲である。また、高さ方向については、高さ方向の中央から上下５ｃｍ前後であると使用者が最も視認しやすい。すなわち、利き手や設置の自由度、視認性という観点からは、ディスペンサー正面の幅方向及び高さ方向の中央から５ｃｍ前後の範囲の中央部である。
【００４５】
但し、手洗い後の濡れた手を過度に高くかざすことは望ましくないため、設置場所に応じて、前板部１６の高さ方向の中間位置よりも底板部側１３であって、幅方向中央から左右に５ｃｍ程度までの範囲の、ディスペンサー１００の正面の中央下部も好適な位置となる。また、このように中央下部とすると、手をかざした位置から底面の排紙口６から繰り出されたロールペーパー２０Ａへ手をスムーズに移動し易くなる利点もある。
【００４６】
なお、光学式センサー５０の位置の認識をより確実なものとすべくセンサー位置や手をかざす位置を具体的に示す文章や矢印などの記号などによる情報を、前板部１６の表面に印刷等により設けるのがよい。
【００４７】
他方、本実施形態に係る光学式センサー５０は、検知距離が前板部１６の光学式センサーから０〜１００ｍｍの範囲、より好ましくは０〜５０ｍｍの範囲である（この範囲を図７中に符号Ｌ１として示す）。使用者が手をかざす動作をする場合には、光学式センサー５０から０〜５０ｍｍ以内の範囲に手を位置させることがほとんどである。また、この距離Ｌ１は前板部１６からの距離となるが、通常、ディスペンサー１００の正面から１００ｍｍ以内に近づくようなことはないため、この範囲であれば意図しない検知によって誤動作するようなこともない。
【００４８】
また、光学式センサー５０は、検知範囲の放射角∠Ａは３０〜９０°程度であるのがよい。３０°未満であると検知範囲が狭すぎることとなり９０°を超えても意味をなさない。
【００４９】
本形態のディスペンサー１００は、かかる光学式センサー５０を上記所定の位置に設け、当該光学式センサー５０の検知範囲に使用者の手等の被検知物が進入されたときに、前記光学式センサー５０がこれを検知し、この検知信号を制御手段に送信し、制御手段を介して排紙用繰り出しローラ４の駆動源を所定時間駆動させる。これにより駆動源の駆動時間に応じた前記排紙用繰り出しローラ４の回転分だけ、排紙口６から繰り出されたロールペーパー２０Ａが露出させる。
【００５０】
本実施形態に係る光学式センサー５０で検知した検知信号に応じてモーター手段等の駆動源の駆動を制御する制御手段は、特に限定されるものではなく、適宜の電気回路により構成できる。
【００５１】
なお、本実施形態のディスペンサー１００では、光学式センサー５０と排紙用繰り出しローラ４を動作させるための電力源が電池７，７となっている。
【００５２】
この種の自動排紙タイプのディスペンサーでは、排紙用繰り出しローラ４の駆動源や光学式センサー５０を駆動させるにあたり、乾電池４本程度の電圧、すなわち６．０Ｖ前後とするのが通常である。本実施形態の自動排紙タイプのディスペンサーは、光学式センサー５０の省電力化によって、概ね４．２〜６．０Ｖで動作させることが可能である。よって、ディスペンサーの大きさ等を考慮すると、容量が大きく入手容易な単１規格の電池を４本使用する態様とするのが望ましい。
【００５３】
なお、本発明のディスペンサーは、電力源が電池のみに限定されず、ＡＣアダプターなどにより乾電池駆動とともにコンセントから商用電源を供給可能なものであってもよい。また、本発明に係る電池は、乾電池のほか繰り返し利用可能な充電池であってもよい。
【００５４】
＜具体例＞
本発明の具体例は、図４、図８〜図１０に示すものである。
すなわち、給紙信号を受けて、ロールペーパーから所定長さのペーパーを自動的に排紙するロールペーパー用ディスペンサー１００であって、排紙用繰り出しローラ４及びこれに対向するニップローラ５が設けられ、これらの間を通り、ロールペーパーより繰り出されたペーパー２０Ａが下方に垂れ下がりながら排紙される構造である。
さらに、垂れ下がりペーパーに対向して、カッター刃６０が、その刃先を奥側に向かわせてディスペンサー１００の前部に設けられ、少なくとも前記刃先より下方の高さ方向範囲に渡って、下方が前側に延び、かつ、前記ペーパー２０Ａを前方に導く、ガイド８０（８１）がディスペンサーに設けられているものである。
【００５５】
ここで、図８〜図１０に明示さあれているように、ペーパーロールから送り出され、ガイド８０（８１）に沿ってペーパーがガイドされ、繰り出しが終了している状態で、ペーパーが刃先に実質的に接触しているように、ガイド８０（８１）が構成されているのが望ましい。
【００５６】
ガイド８０（８１）の先端縁は、図示のように、刃先より前方位置にあるのが好ましい。
【００５７】
ガイド８０の排出面は、図８及び図９に示すように、刃先より下方の高さ範囲が、一様の曲線を描く形状であるのが好ましい。
【００５８】
ガイド８０は板状のほか、排出面が所定の形状を有するブロック状のものでもよいが、Ｌ字または「く」字状に折曲してものでもよい。図１０にＬ字に折曲したガイド８１の例を示した。
【００５９】
＜実験例＞
図９及び図１０に示すガイド８０,８１を用意し、従来例との比較の下で、各種評価を行った。実験はランダムに抽出した社員の評価に基づくものである。
【００６０】
図９及び図１０に示す寸法は、次の値を指称するものである。
Ａ：ペーパーガイドの縦高さ
Ｂ：ペーパーガイドの本体底部からの距離  
Ｃ：ペーパーガイドの曲げ角度  
Ｄ：ペーパーガイドの長さ
Ｅ：ディスペンサー本体底部からペーパーガイド先端までの高さ
Ｆ：紙の排出角度
Ｇ：カッター刃先からペーパーガイド先端までの距離
【００６１】
評価結果の集計ランク表１に示すとおりである。
【表１】
2015192745.tif 000003
【００６２】
「シートの排出」評価は、○：スムーズ、△：普通、×：悪いとした。また「ストッパー効果」とは、次のことを意味する。
本発明において、給紙信号を受けて、ロールペーパーから所定長さのペーパーが自動的に排紙する、すなわちペーパーの先端縁が、ガイドの先端縁まで自動排紙されるのが、好ましい。このガイドの先端縁まで自動排紙され、そこで停止すると、次のペーパー片の取出しが用意である。ガイドの先端縁まで自動排紙及びそこでの停止を、「ストッパー効果」と称する。
【００６３】
なお、給紙信号を受けて、ロールペーパーから所定長さのペーパーが自動的に排紙され、すなわちペーパーの先端縁が、ガイドの先端縁を越えて自動排紙されるようにしてもよい。
【００６４】
評価結果を表２に示す。
【表２】
2015192745.tif 000004
【００６５】
主に、表２の結果により、各条件は次のものが最適であると判断した。
Ａ：１０〜２０ｍｍ
Ｂ：１５〜２５ｍｍ
Ｃ：Ｒ２０〜２５
Ｄ：４０〜４５ｍｍ
Ｅ：２０〜２５ｍｍ
Ｆ：９０〜１０５°
Ｇ：３０〜５０ｍｍ
【符号の説明】
【００６６】
１００…ロールペーパー用ディスペンサー、１…筐体、２…ロールペーパー、２０…ロールペーパー２のロール部分、２０Ａ…繰り出されたペーパー、４…排紙用繰り出しローラ、５…ニップローラ、６…排紙口、７…電池、１０…ケース本体、１１…蓋体、１２…天板部、１３…底板部、１４…背板部、１５…本体側板部、１６…前板部、１７…蓋体側板部、３１…腕部、３２…支持体、３２ｔ…支持体３２の先端、４０…回転軸、４１…ロール、４２…駆動ギア、５０…光学式センサー、５１…受光部、６０…カッター刃、８０,８１…ガイド。
【図１】
2015192745.tif 000005
【図２】
2015192745.tif 000006
【図３】
2015192745.tif 000007
【図４】
2015192745.tif 000008
【図５】
2015192745.tif 000009
【図６】
2015192745.tif 000010
【図７】
2015192745.tif 000011
【図８】
2015192745.tif 000012
【図９】
2015192745.tif 000013
【図１０】
2015192745.tif 000014